【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
第１のコアネットワークによって提供されるサービスの第１のセットに関する情報を受信すること、および
前記第１のコアネットワークによって提供されないサービスの第２のセットにアクセスするために前記第１のコアネットワークから第２のコアネットワークへ再選択するためのアクションを取ること、ここにおいて、前記アクションを取ることは登録アップデートを開始することを備え、登録アップデート要求は前記第１のコアネットワークに関連付けられた識別子を示さない、
を備える、方法。
【請求項２】
前記登録アップデートは、無線アクセスネットワーク（ＲＡＮ）ノードに、前記第１のコアネットワークによって提供されない前記ＵＥによって要求されるサービスを示す、請求項１に記載の方法。
【請求項３】
前記第１のコアネットワークに関連付けられた前記識別子はグローバルに固有のＭＭＥ識別子（ＧＵＭＭＥＩ）を備える、請求項１に記載の方法。
【請求項４】
前記第１のコアネットワークに関連付けられた前記識別子は一時的な識別子を備える、請求項１に記載の方法。
【請求項５】
前記アクションを取ることは、
前記ＲＡＮノードに、前記ＵＥに関連付けられた永久識別子を示すことを備える、請求項４に記載の方法。
【請求項６】
前記第１のコアネットワークはデータベアラサービスまたは制御プレーン伝送サービス上のスモールデータのうちの少なくとも１つを提供する、請求項１に記載の方法。
【請求項７】
前記アクションを取ることは、
追跡エリア（tracking area）アップデート（ＴＡＵ）要求メッセージを送信することを備える、請求項１に記載の方法。
【請求項８】
ユーザ機器（ＵＥ）によるワイヤレス通信のための装置であって、
第１のコアネットワークによって提供されるサービスの第１のセットに関する情報を受信するための手段と、および
前記第１のコアネットワークによって提供されないサービスの第２のセットにアクセスするために前記第１のコアネットワークから第２のコアネットワークへ再選択するためのアクションを取るための手段と、ここにおいて、前記アクションを取ることは登録アップデートを開始することを備え、登録アップデート要求は前記第１のコアネットワークに関連付けられた識別子を示さない、
を備える、装置。
【請求項９】
前記登録アップデートは、無線アクセスネットワーク（ＲＡＮ）ノードに、前記第１のコアネットワークによって提供されない前記ＵＥによって要求されるサービスを示す、請求項８に記載の装置。
【請求項１０】
前記第１のコアネットワークに関連付けられた前記識別子はグローバルに固有のＭＭＥ識別子（ＧＵＭＭＥＩ）を備える、請求項８に記載の装置。
【請求項１１】
前記第１のコアネットワークに関連付けられた前記識別子は一時的な識別子を備える、請求項８に記載の装置。
【請求項１２】
アクションを取るための前記手段は、
前記ＲＡＮノードに、前記ＵＥに関連付けられた永久識別子を示すための手段を備える、請求項１１に記載の装置。
【請求項１３】
前記第１のコアネットワークはデータベアラサービスまたは制御プレーン伝送サービス上のスモールデータのうちの少なくとも１つを提供する、請求項８に記載の装置。
【請求項１４】
アクションを取るための前記手段は、
追跡エリアアップデート（ＴＡＵ）要求メッセージを送信するための手段を備える、請求項８に記載の装置。
【請求項１５】
記憶された命令を有するコンピュータ読み取り可能な媒体であって、前記命令は、ユーザ機器（ＵＥ）に、請求項１〜請求項７のうちのいずれか一項に記載の方法を実行させるために１つまたは複数のプロセッサによって実行可能である、コンピュータ読み取り可能な媒体。
【手続補正２】
【補正対象書類名】明細書
【補正対象項目名】００８８
【補正方法】変更
【補正の内容】
【００８８】
[0097]  態様に従って、ここに説明され記載された意味は、図１におけるＵＥ１０２および／または図２におけるＵＥ２０６のようなＵＥの１つまたは複数のコンポーネントによって実行され得る。ＵＥは、図６に例示される１つまたは複数のコンポーネントを含み得る。例えば、受信するための手段、アクションを取るための手段、登録アップデートを開始するための手段、ＲＡＮノードに、ＵＥに関連付けられた永久識別子を示すための手段、登録アップデートにおいて、第１のコアネットワークに関する情報を提供するための手段、およびＴＡＵ要求メッセージを送信するための手段は、アンテナ６５２、Ｒｘ／Ｔｘ６５４、コントローラ／プロセッサ６５９、ＲＸプロセッサ６５６、ＴＸプロセッサ６６８、および／またはメモリ６６０のうちの１つまたは複数によって実行され得る。
以下に本願の出願当初の特許請求の範囲に記載された発明を付記する。
[Ｃ１]  ユーザ機器（ＵＥ）によるワイヤレス通信のための方法であって、
第１のコアネットワークによって提供されるサービスの第１のセットに関する情報を受信すること、および
前記第１のコアネットワークによって提供されないサービスの第２のセットにアクセスするために前記第１のコアネットワークから第２のコアネットワークへ再選択するためのアクションを取ること
を備える、方法。
[Ｃ２]  前記アクションを取ることは、
登録アップデートを開始することを備え、ここにおいて、前記登録アップデートは、無線アクセスネットワーク（ＲＡＮ）ノードに、前記第１のコアネットワークによって提供されない前記ＵＥによって要求されるサービスを示す、Ｃ１に記載の方法。
[Ｃ３]  前記登録アップデートは前記第１のコアネットワークに関連付けられた識別子を示さない、Ｃ２に記載の方法。
[Ｃ４]  前記第１のコアネットワークに関連付けられた前記識別子はグローバルに固有のＭＭＥ識別子（ＧＵＭＭＥＩ）を備える、Ｃ３に記載の方法。
[Ｃ５]  前記第１のコアネットワークに関連付けられた前記識別子は一時的な識別子を備える、Ｃ３に記載の方法。
[Ｃ６]  前記アクションを取ることは、
前記ＲＡＮノードに、前記ＵＥに関連付けられた永久識別子を示すことを備える、Ｃ５に記載の方法。
[Ｃ７]  前記アクションを取ることは、
登録アップデートにおいて前記第１のコアネットワークに関する情報を提供することを備える、Ｃ１に記載の方法。
[Ｃ８]  前記第１のコアネットワークはデータベアラサービスまたは制御プレーン伝送サービス上のスモールデータのうちの少なくとも１つを提供する、Ｃ１に記載の方法。
[Ｃ９]  前記アクションを取ることは、
追跡エリア（tracking area）アップデート（ＴＡＵ）要求メッセージを送信することを備える、Ｃ１に記載の方法。
[Ｃ１０]  ユーザ機器（ＵＥ）によるワイヤレス通信のための装置であって、
第１のコアネットワークによって提供されるサービスの第１のセットに関する情報を受信するための手段と、および
前記第１のコアネットワークによって提供されないサービスの第２のセットにアクセスするために前記第１のコアネットワークから第２のコアネットワークへ再選択するためのアクションを取るための手段と
を備える、装置。
[Ｃ１１]  アクションを取るための前記手段を取ることは、
登録アップデートを開始するための手段を備え、ここにおいて前記登録アップデートは、無線アクセスネットワーク（ＲＡＮ）ノードに、前記第１のコアネットワークによって提供されない前記ＵＥによって要求されるサービスを示す、Ｃ１０に記載の装置。
[Ｃ１２]  前記登録アップデートは前記第１のコアネットワークに関連付けられた識別子を示さない、Ｃ１１に記載の装置。
[Ｃ１３]  前記第１のコアネットワークに関連付けられた前記識別子はグローバルに固有のＭＭＥ識別子（ＧＵＭＭＥＩ）を備える、Ｃ１２に記載の装置。
[Ｃ１４]  前記第１のコアネットワークに関連付けられた前記識別子は一時的な識別子を備える、Ｃ１２に記載の装置。
[Ｃ１５]  アクションを取るための前記手段は、
前記ＲＡＮノードに、前記ＵＥに関連付けられた永久識別子を示すための手段を備える、Ｃ１４に記載の装置。
[Ｃ１６]  アクションを取るための前記手段は、
登録アップデートにおいて前記第１のコアネットワークに関する情報を提供するための手段を備える、Ｃ１０に記載の装置。
[Ｃ１７]  前記第１のコアネットワークはデータベアラサービスまたは制御プレーン伝送サービス上のスモールデータのうちの少なくとも１つを提供する、Ｃ１０に記載の装置。
[Ｃ１８]  アクションを取るための前記手段は、
追跡エリアアップデート（ＴＡＵ）要求メッセージを送信するための手段を備える、Ｃ１０に記載の装置。
[Ｃ１９]  ユーザ機器（ＵＥ）によるワイヤレス通信のための装置であって、
第１のコアネットワークによって提供されるサービスの第１のセットに関する情報を受信することを行うように構成された受信機と、
前記第１のコアネットワークによって提供されないサービスの第２のセットにアクセスするために前記第１のコアネットワークから第２のコアネットワークへ再選択するためのアクションを取ることを行うように構成された少なくとも１つのプロセッサと、および  前記少なくとも１つのプロセッサに結合されたメモリと
を備える、装置。
[Ｃ２０]  前記少なくとも１つのプロセッサは、
登録アップデートを開始することによって、前記アクションを取ることを行うように構成され、ここにおいて前記登録アップデートは、無線アクセスネットワーク（ＲＡＮ）ノードに、前記第１のコアネットワークによって提供されない前記ＵＥによって要求されるサービスを示す、Ｃ１９に記載の装置。
[Ｃ２１]  前記登録アップデートは前記第１のコアネットワークに関連付けられた識別子を示さない、Ｃ２０に記載の装置。
[Ｃ２２]  前記第１のコアネットワークに関連付けられた前記識別子はグローバルに固有のＭＭＥ識別子（ＧＵＭＭＥＩ）を備える、Ｃ２１に記載の装置。
[Ｃ２３]  前記第１のコアネットワークに関連付けられた前記識別子は一時的な識別子を備える、Ｃ２１に記載の装置。
[Ｃ２４]  前記少なくとも１つのプロセッサは、
前記ＲＡＮノードに、前記ＵＥに関連付けられた永久識別子を示すことによって、前記アクションを取ることを行うように構成される、Ｃ２３に記載の装置。
[Ｃ２５]  前記少なくとも１つのプロセッサは、
登録アップデートにおいて前記第１のコアネットワークに関する情報を提供することによって、前記アクションを取ることを行うように構成される、Ｃ１９に記載の装置。
[Ｃ２６]  前記第１のコアネットワークはデータベアラサービスまたは制御プレーン伝送サービス上のスモールデータのうちの少なくとも１つを提供する、Ｃ１９に記載の装置。
[Ｃ２７]  前記少なくとも１つのプロセッサは、
追跡エリアアップデート（ＴＡＵ）要求メッセージを送信するための手段によって、前記アクションを取ることを行うように構成される、Ｃ１９に記載の装置。
[Ｃ２８]  記憶された命令を有するコンピュータ読み取り可能な媒体であって、前記命令は、ユーザ機器（ＵＥ）に、
第１のコアネットワークによって提供されるサービスの第１のセットに関する情報を受信すること、および
前記第１のコアネットワークによって提供されないサービスの第２のセットにアクセスするために前記第１のコアネットワークから第２のコアネットワークへ再選択するためのアクションを取ること
を行わせるために１つまたは複数のプロセッサによって実行可能である、コンピュータ読み取り可能な媒体。
[Ｃ２９]  前記少なくとも１つのプロセッサは、
登録アップデートを開始することによって、前記アクションを取ることを行うように構成され、ここにおいて、前記登録アップデートは、無線アクセスネットワーク（ＲＡＮ）ノードに、前記第１のコアネットワークによって提供されない前記ＵＥによって要求されるサービスを示す、Ｃ２８に記載のコンピュータ読み取り可能な媒体。
[Ｃ３０]  前記登録アップデートは前記第１のコアネットワークに関連付けられた識別子を示さない、Ｃ２９に記載のコンピュータ読み取り可能な媒体。